【手続補正書】
【提出日】令和2年5月7日(2020.5.7)
【手続補正１】
【補正対象書類名】特許請求の範囲
【補正対象項目名】全文
【補正方法】変更
【補正の内容】
【特許請求の範囲】
【請求項１】
現像剤を収容する収容部と、
前記収容部内の収容空間に面する第１の端面を有し、前記第１の端面を介して光が出射する第１の光学部材と、前記収容空間に面し、第１の方向において前記第１の端面と対向する第２の端面を有し、前記第２の端面を介して光が入射する第２の光学部材とを含む光学系と、
前記収容空間に設けられ、前記第１の方向に延伸する回転軸を中心に回転可能なシャフトと、
前記シャフトから、前記第１の方向と交差する方向に突出し、前記シャフトの回転に応じて前記第１の端面および前記第２の端面の間を通過するように設けられた突出部を有する支持部材と、
前記支持部材に固定され、前記シャフトの回転に応じて前記第１の端面および前記第２の端面の間を通過することにより、前記第１の端面および前記第２の端面を清掃する清掃部材と
を備えた現像剤収容体。
【請求項２】
前記支持部材の前記突出部に前記清掃部材を押さえつける押さえ部を有する固定部材をさらに備え、
前記押さえ部は、前記シャフトの回転に応じて前記第１の端面および前記第２の端面の間を通過する
請求項１に記載の現像剤収容体。
【請求項３】
前記清掃部材は、前記第１の方向に移動可能である
請求項１または請求項２に記載の現像剤収容体。
【請求項４】
前記清掃部材は、前記第１の方向を基準として互いに反対方向に傾斜した第１の斜面および第２の斜面を有する
請求項１から請求項３のいずれか一項に記載の現像剤収容体。
【請求項５】
前記シャフトが回転する回転方向の上流側における前記清掃部材の前記第１の斜面と前記第２の斜面との間の距離は、前記回転方向の下流側における前記清掃部材の前記第１の斜面と前記第２の斜面との間の距離よりも大きい
請求項４に記載の現像剤収容体。
【請求項６】
現像剤を収容する収容部と、
前記収容部内の収容空間に面する第１の端面を有し、前記第１の端面を介して光が出射する第１の光学部材と、前記収容空間に面し、第１の方向において前記第１の端面と対向する第２の端面を有し、前記第２の端面を介して光が入射する第２の光学部材とを含む光学系と、
前記収容空間に設けられ、前記第１の方向に延伸する回転軸を中心に回転可能なシャフトと、
前記シャフトに設けられ、前記第１の方向を基準として互いに反対方向に傾斜した第１の斜面および第２の斜面を有し、前記シャフトの回転に応じて前記第１の端面および前記第２の端面の間を通過することにより、前記第１の端面および前記第２の端面を清掃する清掃部材と
を備えた現像剤収容体。
【請求項７】
前記シャフトが回転する回転方向の上流側における前記清掃部材の前記第１の斜面と前記第２の斜面との間の距離は、前記回転方向の下流側における前記清掃部材の前記第１の斜面と前記第２の斜面との間の距離よりも大きい
請求項６に記載の現像剤収容体。
【請求項８】
前記シャフトに設けられ、前記第１の方向に移動可能であり、前記第１の方向を基準として互いに反対方向に傾斜した第３の斜面および第４の斜面を有し、前記清掃部材を支持する支持部材をさらに備え、
前記清掃部材の前記第１の斜面に対応する部分は、前記支持部材の前記第３の斜面に沿って配置され、前記清掃部材の前記第２の斜面に対応する部分は、前記支持部材の前記第４の斜面に沿って配置された
請求項６または請求項７に記載の現像剤収容体。
【請求項９】
前記第１の方向を基準として互いに反対方向に傾斜した第５の斜面および第６の斜面を有し、前記清掃部材の前記第１の斜面および前記第２の斜面の一部に覆いかぶさるように配置されることにより前記清掃部材を固定する固定部材をさらに備えた
請求項６から請求項８のいずれか一項に記載の現像剤収容体。
【請求項１０】
前記シャフトに設けられ、前記第１の方向を基準として互いに反対方向に傾斜した第３の斜面および第４の斜面を有し、前記清掃部材を支持する支持部材と、
前記第１の方向を基準として互いに反対方向に傾斜した第５の斜面および第６の斜面を有し、前記清掃部材の前記第１の斜面および前記第２の斜面の一部に覆いかぶさるように配置されることにより前記清掃部材を固定する固定部材と
を備え、
前記第５の斜面および前記第６の斜面のなす角の角度は、前記第３の斜面および前記第４の斜面のなす角の角度よりも小さい
請求項６または請求項７に記載の現像剤収容体。
【請求項１１】
前記清掃部材は、前記第１の方向に沿って移動可能である
請求項６から請求項１０のいずれか一項に記載の現像剤収容体。
【請求項１２】
ギア部と、前記ギア部で受け取った動力を前記シャフトに伝達可能な伝達部とを有し、前記ギア部と前記シャフトとの間で、所定の角度範囲で回動可能なギア部材をさらに備えた
請求項６から請求項１１のいずれか一項に記載の現像剤収容体。
【請求項１３】
前記シャフトは、前記シャフトの端部に配置され、前記第１の方向と交差する方向に突出する突起部を有し、
前記伝達部は、前記端部を収容する端部収容部を有し、
前記端部収容部の、前記シャフトの回転方向における、前記突起部を収容する部分の幅は、前記回転方向における前記突起部の幅よりも広い
請求項１２に記載の現像剤収容体。
【請求項１４】
現像剤を収容する収容部と、
前記収容部内の収容空間に面する第１の端面を有し、前記第１の端面を介して光が出射する第１の光学部材と、前記収容空間に面し、第１の方向において前記第１の端面と対向する第２の端面を有し、前記第２の端面を介して光が入射する第２の光学部材とを含む光学系と、
前記収容空間に設けられ、前記第１の方向に延伸する回転軸を中心に回転可能なシャフトと、
前記シャフトに設けられ、前記第１の方向に移動可能であり、前記シャフトの回転に応じて前記第１の端面および前記第２の端面の間を通過することにより、前記第１の端面および前記第２の端面を清掃する清掃部材と、
前記光学系の、前記シャフトの回転方向における上流に設けられ、前記清掃部材と接触することにより、前記清掃部材を前記第１の端面および前記第２の端面の間に導くガイド部材と
を備えた現像剤収容体。
【請求項１５】
前記シャフトの第１の端部を支持する第１の軸受穴を有する第１の軸受部と、
前記シャフトの第２の端部を支持する第２の軸受穴を有する第２の軸受部と
をさらに備え、
前記シャフトは、前記第１の方向に移動可能であり、
前記清掃部材は、前記シャフトに固定され、前記シャフトが前記第１の方向に移動することにより、前記第１の方向に移動可能であり、
前記第１の軸受穴の底部と、前記第２の軸受穴の底部との間の距離は、前記シャフトの長さよりも長い
請求項１４に記載の現像剤収容体。
【請求項１６】
請求項１から請求項１５のいずれか一項に記載の現像剤収容体と、
前記現像剤収容体に収容された前記現像剤を用いて画像を形成する現像部と
を備えた画像形成ユニット。
【請求項１７】
請求項１６に記載の画像形成ユニットと、
前記第１の光学部材の前記第１の端面から射出される前記光を発する発光部と、
前記第２の光学部材の前記第２の端面に入射した前記光を検出する受光部と
前記受光部の検出結果に基づいて、前記収容部に収容された前記現像剤の量を検出する検出部と
を備えた画像形成装置。
【手続補正２】
【補正対象書類名】明細書
【補正対象項目名】０００６
【補正方法】変更
【補正の内容】
【０００６】
本発明の一実施の形態における第１の現像剤収容体は、収容部と、光学系と、シャフトと、支持部材と、清掃部材とを備えている。収容部は、現像剤を収容するものである。光学系は、収容部内の収容空間に面する第１の端面を有し、第１の端面を介して光が出射する第１の光学部材と、収容空間に面し、第１の方向において第１の端面と対向する第２の端面を有し、第２の端面を介して光が入射する第２の光学部材とを含むものである。シャフトは、収容空間に設けられ、第１の方向に延伸する回転軸を中心に回転可能なものである。支持部材は、シャフトから、第１の方向と交差する方向に突出し、シャフトの回転に応じて第１の端面および第２の端面の間を通過するように設けられた突出部を有するものである。清掃部材は、支持部材に固定され、シャフトの回転に応じて第１の端面および第２の端面の間を通過することにより、第１の端面および第２の端面を清掃するものである。
【手続補正３】
【補正対象書類名】明細書
【補正対象項目名】０００７
【補正方法】変更
【補正の内容】
【０００７】
本発明の一実施の形態における第２の現像剤収容体は、収容部と、光学系と、シャフトと、清掃部材とを備えている。収容部は、現像剤を収容するものである。光学系は、収容部内の収容空間に面する第１の端面を有し、第１の端面を介して光が出射する第１の光学部材と、収容空間に面し、第１の方向において第１の端面と対向する第２の端面を有し、第２の端面を介して光が入射する第２の光学部材とを含むものである。シャフトは、収容空間に設けられ、第１の方向に延伸する回転軸を中心に回転可能なものである。清掃部材は、シャフトに設けられ、第１の方向を基準として互いに反対方向に傾斜した第１の斜面および第２の斜面を有し、シャフトの回転に応じて第１の端面および第２の端面の間を通過することにより、第１の端面および第２の端面を清掃するものである。
【手続補正４】
【補正対象書類名】明細書
【補正対象項目名】０００８
【補正方法】変更
【補正の内容】
【０００８】
本発明の一実施の形態における第３の現像剤収容体は、収容部と、光学系と、シャフトと、清掃部材と、ガイド部材とを備えている。収容部は、現像剤を収容するものである。光学系は、収容部内の収容空間に面する第１の端面を有し、第１の端面を介して光が出射する第１の光学部材と、収容空間に面し、第１の方向において第１の端面と対向する第２の端面を有し、第２の端面を介して光が入射する第２の光学部材とを含むものである。シャフトは、収容空間に設けられ、第１の方向に延伸する回転軸を中心に回転可能なものである。清掃部材は、シャフトに設けられ、第１の方向に移動可能であり、シャフトの回転に応じて第１の端面および第２の端面の間を通過することにより、第１の端面および第２の端面を清掃するものである。ガイド部材は、光学系の、シャフトの回転方向における上流に設けられ、清掃部材と接触することにより、清掃部材を第１の端面および第２の端面の間に導くものである。
【手続補正５】
【補正対象書類名】明細書
【補正対象項目名】０００９
【補正方法】変更
【補正の内容】
【０００９】
本発明の一実施の形態における画像形成ユニットは、上記第１から第３の現像剤収容体のいずれかと、現像部とを備えている。現像部は、現像剤収容体に収容された現像剤を用いて画像を形成するものである。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
本発明の一実施の形態における画像形成装置は、上記画像形成ユニットと、発光部と、受光部と、検出部とを備えている。発光部は、第１の光学部材の第１の端面から射出される光を発するものである。受光部は、第２の光学部材の第２の端面に入射した光を検出するものである。検出部は、受光部の検出結果に基づいて、収容部に収容された現像剤の量を検出するものである。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
本発明の一実施の形態における第１から第３の現像剤収容体、画像形成ユニット、画像形成装置によれば、現像剤の残量を検出する際の検出精度を高めることができる。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】